(57)【要約】【課題】狭い空間でも使用し易い構造であり、実用性を備えるスパナのウエッブエリア構造を提供する。【解決手段】スパナのウエッブエリア構造は、主に工具本体１０を含み、そこには少なくともひとつのウエッブエリア開口部１１を備え、ウエッブエリア開口部上の両側には外向きのあご１２が成形され、あごの間には挟持空間１３が形成される。そしてこの挟持空間を利用して部品を挟む。このあごには第一あご部位２０及び第二あご部位３０が成形され、第一あご部位は工具本体と平行で、第二あご部位は第一あご部位に対して角度を形成する。それによって使用時、限られた空間を有効に使い、安定した締結工具構造が得られる。【選択図】        図１
2004202640.tif 000002
【特許請求の範囲】
【請求項１】
主に工具本体を含むスパナのウエッブエリア構造において、
そこには少なくともウエッブエリア開口部が一つ設置され、そのウエッブエリア開口部には両側外向きのあごが成形され、そのあご間には挟持空間部が形成され、その挟持空間を利用して部品を挟むものであって、
そのあごには、第一あご部位及び第二あご部位が成形され、第一あご部位は工具本体と平行で、第二あご部位は第一あご部位に対して角度を形成し、
これらを使用することによって、狭い空間を有効に使用して、しっかりと締結操作することができるようにしたことを特徴とするスパナのウエッブエリア構造。
【請求項２】
使用時の有限な操作空間でこの工具本体を有効に操作するために、前記第二あご部位の厚みを先端に向けて徐々に薄くして、これによって、この傾斜あご部位は第一あご部位に対して更に大きな角度を取ることができ、使用しやすくしたことを特徴とする請求項１記載のスパナのウエッブエリア構造。
【請求項３】
更なる締結操作性向上のために、前記第二あご部位を、長さがあごの長さの二分の一より大きくしたことを特徴とする請求項１記載のスパナのウエッブエリア構造。
【請求項４】
主に工具本体を含むスパナのウエッブエリア構造において、
この工具本体の少なくとも一端がボックス部を形成し、このボックス部のボックス上には平面部及び傾斜部がそれぞれ成形されたことを特徴とするスパナのウエッブエリア構造。
【発明の詳細な説明】
【０００１】
【発明の属する技術分野】
本発明は、スパナのウエッブエリア構造に関するもので、ウエッブエリア開口部上に第一及び第二あご部位を設置し、第二あご部位は、第一あご部位に対して角度を形成し、これにより狭い空間でも使用し易い構造となり、実用性を備えるものである。
【０００２】
【従来の技術】
公知の工具であるスパナ構造は、ウエッブエリアを利用して部品を着脱する。公知すべての工具構造で(本発明ではスパナを実施例にしている)、ウエッブエリア開口部のあごで部品を挟み、スパナ本体を動かして部品を締めている。
【０００３】
【発明が解決しようとする課題】
しかしながら、この種のスパナのウエッブエリア構造には下述の問題がある。
回転させる工具は、確かに限られた空間で使用することができるが、挟持力の強いナットを使用する場合、この種のスパナ工具は回転部に亀裂が入りやすい。それは回転部に力が集中するように設計されているため、本体一体構造では、亀裂がこの箇所に集中する。
また、このスパナを回転させるとき、てこの長さがある時は長かったり、短かったりするため、より一層大きな力が必要で、枢設軸部に亀裂が入る。
更にこの種の回転角度を備えたスパナを応用するのは実際限られているため、実用性に欠ける。
そのため、上述の問題を改善するスパナのウエッブエリア構造を提供することを課題とする。
【０００４】
本発明は、スパナで部品を止めるとき、更に有効に挟持するため、あご構造部分を改善している。
この他、作動空間に制限のある場合、本発明では、同時に枢設軸回転を備えたスパナを提供している。
【０００５】
本発明の目的は、主に実用性を備え、安定性があり、利用価値が高いスパナのウエッブエリア構造を提案することにある。
また、使用空間を広げ、構造が安定したスパナのウエッブエリア構造を提案することにある。
更に、簡単で、便利、且つ良好な効果を得るスパナのウエッブエリア構造を提案することにある。
【０００６】
【課題を解決するための手段】
スパナのウエッブエリア構造は、主に工具本体を含む。そこには少なくともウエッブエリア開口部がひとつ設置され、そのウエッブエリア開口部には両側外向きのあごが成形され、そのあご間には挟持空間部が形成され、その挟持空間を利用して部品を挟む。そのあごには、第一あご部位及び第二あご部位が成形され、第一あご部位は工具本体と平行で、第二あご部位は第一あご部位に対して角度を形成する。これらを使用することによって、狭い空間を有効に使用して、しっかりと固定させることができることを特徴とする。
使用時の有限的空間でこの工具本体を有効に利用するために、第二あご部位は、厚みが徐々に薄くなっていて、これによって、この傾斜あご部位は第一あご部位に対して更に大きな角度を取ることができ、使用しやすくなることを特徴とする。
更なる固定効果を得るために、前記第二あご部位は、長さがあごの長さの二分の一より大きいことを特徴とする。
スパナのウエッブエリア構造は、主に工具本体を含む。この工具本体の少なくとも一端がボックス部を形成し、このボックス部のボックス上には平面部及び傾斜部がそれぞれ成形されることを特徴とする。
【０００７】
【発明実施の形態】
以下、本発明スパナのウエッブエリア構造の実施例を図面に基づいて説明する。
先ず、図１及び図２が示すように、本発明は、主に工具本体１０を含み、この工具本体１０の少なくとも一端にはウエッブエリア開口部１１が設置され、そのウエッブエリア開口部１１上には両側外向きのあご１２が形成され、このあご１２間には挟持空間１３が形成される。この挟持空間１３でナット１４を挟みこむ。また別の一端にはボックス部が設置され、このボックス部上にはボックスが成形され、ナット１４を回動する。
【０００８】
本発明は主にこのあご１２に第一あご部位２０及び第二あご部位３０が成形され、この第一あご部位２０は工具本体１０と平行に形成され、また第二あご部位３０は第一あご部位２０に対して、角度ａを形成する。その最も良い角度は１０度から２０度前後である。
【０００９】
この第二あご部位３０によって、最も良い挟持効果を得られる。この第二あご部３０の長さｄは、あご部１２の長さＤの二分の一より大きいことが望ましく、このようにして最大の挟持効果を得られる。
【００１０】
本発明を使用する場合、図４及び図５に示す方法により、第二あご部位３０によって障害物３１を避けてナット１４を嵌めこみ、ナット１４を回動させて適する高さまで上げた後、工具本体１０を再び嵌めこみ、第一あご部２０でナット１４を平行に挟み、簡単にナット１４を回転させられる。上述の説明は図６に示すとおりである。
【００１１】
更に図７及び図８に示すとおり、工具本体１０の使用時の空間制限を有効にするため、傾斜あご部位３０´の厚みを徐々に薄くする。この傾斜あご部位３０´は第一あご部位２０に対して、角度Ａで設計する。
【００１２】
更に図９及び図１０に示すとおり（また図４及び図５参照）、この工具本体１０が傾斜あご部位３０´によって、更に高い障害物３１´を避けている。そして、同時に材料を少なくすることができる。そして同じくナット１４´を適する高さまで回転させて上昇させた後、工具本体を、第一あご部位２０によって、ナット１４´に平行に再度嵌める。上述の説明は図１１に示すとおりである。
【００１３】
当然、本発明では、枢設軸構造４０でも実施できる。ウエッブエリア開口部１１´と工具本体１０を枢設して一体にする。図１２及び図１３に示すとおり、枢設軸構造４０によって、更に高い障害物３０´´を避けることができる。上述の説明は図１４に示すとおりである。
【００１４】
更に図１５から図１７に示すのは、別の実施例で、工具本体１０の一端のボックス部５０のボックス５３上にそれぞれ平面部５２と傾斜部５３を成形し、本発明使用時、障害物３１があって、平面部５２では完全に本締めできない場合、傾斜部５１を使う。この傾斜部５１を部品の平面上に合わせると、ナット１４をスムーズに回すことができる。
【００１５】
【発明の効果】
以上説明したように、本発明のスパナのウエッブエリア構造は、主に工具本体を含み、そこには少なくともひとつのウエッブエリア開口部を備え、ウエッブエリア開口部上の両側には外向きのあごが成形され、あごの間には挟持空間が形成される。そしてこの挟持空間を利用して部品を挟む。このあごには第一あご部位及び第二あご部位が成形され、第一あご部位は工具本体と平行で、第二あご部位は第一あご部位に対して角度を形成する。それによって使用時、限られた空間を有効に使い、安定した固定構造が得られるという特徴をもつ。それにより、狭い空間でも使用度の高い構造となり、実用性を備えるのに効果的である。
【図面の簡単な説明】
【図１】本発明の外観指示図である。
【図２】本発明の使用状態構造指示図である。
【図３】本発明の拡大構造指示図である。
【図４】本発明の第二あご部位を使用して固定する前の構造指示図である。
【図５】本発明の第二あご部位を使用して固定する時の構造指示図である。
【図６】本発明の回転した後、第一あご部位をした時の構造指示図である。
【図７】本発明の別の実施例構図外観指示図である・
【図８】本発明の別の実施例拡大構造指示図である。
【図９】本発明の別の実施例で傾斜あご部位を使用する前の構造指示図である。
【図１０】本発明の別の実施例で傾斜あご部位で部品を嵌合する時の構造指示図である。
【図１１】本発明の別の実施例で、第一あご部位を使用する時の構造指示図である。
【図１２】本発明の更に別の実施例の分解構造指示図である。
【図１３】本発明の更に別の実施例の外観構造指示図である。
【図１４】本発明の更に別の実施例の使用状態指示図である。
【図１５】本発明の更に別の実施例の拡大構造指示図である。
【図１６】本発明の更に別の実施例の側面図である。
【図１７】本発明の更に別の実施例の外観指示図である。
【符号の説明】
１０  工具本体
１１  ウエッブエリア開口部
１１´ウエッブエリア開口部
１２  あご
１３  挟持空間
１４  ナット
２０  第一あご部位
３０  第二あご部位
３０´傾斜あご部位
３１  障害物
３１´障害物
３１´´障害物
４０  枢設軸構造
５０  ボックス部
５１  傾斜部
５２  平面部
５３  ボックス
【図１】
2004202640.tif 000003
【図２】
2004202640.tif 000004
【図３】
2004202640.tif 000005
【図４】
2004202640.tif 000006
【図５】
2004202640.tif 000007
【図６】
2004202640.tif 000008
【図７】
2004202640.tif 000009
【図８】
2004202640.tif 000010
【図９】
2004202640.tif 000011
【図１０】
2004202640.tif 000012
【図１１】
2004202640.tif 000013
【図１２】
2004202640.tif 000014
【図１３】
2004202640.tif 000015
【図１４】
2004202640.tif 000016
【図１５】
2004202640.tif 000017
【図１６】
2004202640.tif 000018
【図１７】
2004202640.tif 000019